(57)【要約】【課題】画像記録装置及び光照射装置の冷却とインクミストの除去とを適切に行い、安定的に高精細な画像記録を行うことのできる画像記録装置を提供する。【解決手段】紫外線硬化型インクを記録媒体Ｐ上に吐出する記録ヘッド５，５…と、インクに光を照射する紫外線照射装置６，６とを備え、記録ヘッド５，５…を記録媒体Ｐの搬送方向に直交する主走査方向Ａに往復移動させながら画像記録を行う画像記録装置１において、紫外線照射装置６，６の近傍に、記録媒体Ｐの画像記録面に対して開口する開口部１３，１３を有し開口部１３，１３から空気を吸引する吸引ファン１４，１４を備える吸引機構１１，１１を少なくとも１つ設けるとともに、吸引機構１１，１１を制御する制御部２７を備え、紫外線照射装置６，６の一端に紫外線照射装置６，６内の空気を排出する排出口３６，３６を設けて、吸引機構１１，１１の一端を排出口３６，３６と接続した。【選択図】図３
2010234818.tif 000002
【特許請求の範囲】
【請求項１】
記録媒体の幅方向に延在し光を照射することによって硬化する光硬化型インクを記録媒体上に吐出する記録ヘッドと、前記記録媒体上のインクに光を照射する光照射装置とを備え、記録媒体を所定の方向に搬送しながら画像記録を行うラインプリント方式の画像記録装置において、
前記光照射装置と前記記録ヘッドとの間に、記録媒体の画像記録面に対して開口する開口部を有し前記開口部から空気を吸引する吸引装置を備える吸引機構を少なくとも１つ設けるとともに、
前記吸引機構を制御する制御部を備え、
前記光照射装置の一端に前記光照射装置内の空気を排出する排出口を設けて、前記吸引機構の一端を前記排出口と接続したことを特徴とする画像記録装置。
【請求項２】
前記吸引機構は、前記吸引装置と前記開口部との間に少なくとも１つのインク吸着手段を備えることを特徴とする請求項１に記載の画像記録装置。
【請求項３】
前記インク吸着手段は、フィルタであり、前記フィルタは交換可能なカートリッジ方式であることを特徴とする請求項２に記載の画像記録装置。
【請求項４】
前記吸引装置と前記インク吸着手段との間に、吸引した空気量を検知するセンサを設けたことを特徴とする請求項２又は請求項３に記載の画像記録装置。
【請求項５】
前記吸引機構は、前記インク吸着手段を交換するように警告する警告手段を備え、前記制御部は、前記センサが検知した空気量が一定以下である場合に警告を行うように前記警告手段を制御することを特徴とする請求項２から請求項４のいずれか一項に記載の画像記録装置。
【発明の詳細な説明】
【技術分野】
【０００１】
本発明は、画像記録装置に係り、特に、インクジェット方式により画像記録を行う画像記録装置に関するものである。
【背景技術】
【０００２】
一般に、様々な記録媒体に対して印刷を行うことのできる手段として、インクジェット方式の画像記録装置が知られている。インクジェット方式の画像記録装置は、記録ヘッドの記録媒体に対向する面に設けられた吐出口からインクを吐出して記録媒体上に着弾、定着させることにより記録媒体に画像を記録するものであり、製版工程を必要としないため需要に応じた印刷が可能であるという長所がある。特に、最近は、紫外線等の光によって硬化する光硬化型インクを用いたインクジェット画像記録装置が知られており、これによれば、記録媒体上に着弾したインクに光を照射することでインクを硬化させ記録媒体上に定着させることができるので、透明又は半透明の樹脂フィルム等、インク吸収性のない記録媒体に対しても簡易に印刷を行うことが可能である。
【０００３】
しかし、長時間画像記録を行うと画像記録装置が過熱し、記録媒体の種類によっては熱によって波打ちやしわ等を生じ高精細な画像記録を行うことができなくなる場合もある。特に光硬化型インクを用いたインクジェット画像記録装置においてはインクを硬化させるための光を照射する光照射装置を設ける必要があるが、連続して画像記録を行うと光源等から発生した熱によって光照射装置が過熱し、これにより装置全体の温度も上昇する。また、光源の温度が上昇しすぎると、光源の種類によっては光発生エネルギーが安定せず均一な光を照射することができなくなる。また、光照射装置が過熱することにより光照射装置の近傍に位置する記録ヘッドの温度が上昇し、画像記録に使用するインクの種類によっては定着し難くなるとの問題もある。
【０００４】
さらに、インクジェット方式の画像記録装置においては、記録ヘッドから吐出されたインクが記録媒体の所定位置に着弾することによって画像が記録されるが、記録ヘッドから吐出されたインクの一部は霧状の極小滴（以下「インクミスト」という）となって飛散する。このインクミストは軽量であるため、空気中を浮遊し、記録媒体以外の上に付着することが起こり得る。例えば、飛散したインクミストが記録ヘッドのノズル付近に付着した場合には、付着したインクミストがノズルに堆積して目詰まりを起こし画像記録に不具合が生じるおそれがあり、インクミストがプラテン等に付着した場合には記録媒体に汚れとして再付着し、高精細な画像記録を行うことができないという問題があった。この点、特に、光硬化型のインクは水系のインクに比べ表面張力が小さいためにインクミストが発生しやすい。このため、インクミストによって引き起こされる問題は、画像記録に光硬化型インクを用いた場合に顕著となる。
【０００５】
そこで、従来から画像記録装置内にファン等を設けて画像記録装置内に気流を発生させ、画像記録装置内部の温度を下げるとともに、記録ヘッドから吐出され飛散したインクミストを吸引し除去することが行われている。
【０００６】
しかし、画像記録装置内には記録媒体の搬送に伴って空気流が発生する。また、シリアルプリント方式の画像記録装置の場合には記録ヘッドが記録媒体搬送方向に直交する主走査方向に移動することによっても空気流が発生する。そして、インクミストはこうした空気流によって浮遊し、画像記録装置の各部に付着するおそれがある。そこで、画像記録装置の冷却、インクミストの除去を効果的に行うためには単にファン等を設けるだけでは足りず、記録媒体の搬送や記録ヘッドの動きによって生じる空気流を考慮する必要があり、従来、こうした空気流を考慮してファン等の駆動制御を行うことが提案されている（例えば、特許文献１参照）。
【先行技術文献】
【特許文献】
【０００７】
【特許文献１】特開平１１−１３８７７６号公報
【発明の概要】
【発明が解決しようとする課題】
【０００８】
しかしながら、光照射装置を備える画像記録装置の場合には光照射装置の過熱が画像記録に大きく影響することから光照射装置を十分に冷却することが必要となるが、冷却ファンを設ける位置によっては光照射装置を十分に冷却することができないという問題がある。また、ファン等によって吸引しただけでは、一度吸引されたインクミストが排出された後に再度記録媒体等に付着するおそれがあるとの問題もある。
【０００９】
そこで、本発明は以上のような課題を解決すべくなされたものであり、画像記録装置及び光照射装置の冷却とインクミストの除去とを適切に行い、安定的に高精度の画像記録を行うことのできる画像記録装置を提供することを目的とするものである。
【課題を解決するための手段】
【００１０】
このような問題を解決するため、請求項１に記載されている発明は、記録媒体の幅方向に延在し光を照射することによって硬化する光硬化型インクを記録媒体上に吐出する記録ヘッドと、前記記録媒体上のインクに光を照射する光照射装置とを備え、記録媒体を所定の方向に搬送しながら画像記録を行うラインプリント方式の画像記録装置において、
前記光照射装置と前記記録ヘッドとの間に、記録媒体の画像記録面に対して開口する開口部を有し前記開口部から空気を吸引する吸引装置を備える吸引機構を少なくとも１つ設けるとともに、
前記吸引機構を制御する制御部を備え、  前記光照射装置の一端に前記光照射装置内の空気を排出する排出口を設けて、前記吸引機構の一端を前記排出口と接続したことを特徴としている。
【００１１】
このような構成を有する請求項１に記載の発明は、ラインプリント方式の画像記録装置において吸引機構の開口部から吸引装置によって画像記録面近傍の空気を吸引するようになっている。
また、吸引機構を光照射装置と記録ヘッドとの間に配置するので、吸引機構によって光照射装置の近傍及び記録ヘッドの近傍何れの空気も吸引することができるようになっている。
また、吸引機構が光照射装置に設けられた排出口に直接接続されているので光照射装置内の空気を効果的に吸引できるようになっている。
【００１２】
請求項２に記載されている発明は、請求項１に記載の発明において、前記吸引機構は、前記吸引装置と前記開口部との間に少なくとも１つのインク吸着手段を備えることを特徴としている。
【００１３】
このような構成を有する請求項２に記載の発明は、吸引機構の吸引装置と開口部との間にインク吸着手段を設けるので、吸引された空気内に含まれるインクをインク吸着手段に吸着し確実に除去することができるようになっている。
【００１４】
請求項３に記載されている発明は、請求項２に記載の発明において、前記インク吸着手段は、フィルタであり、前記フィルタは交換可能なカートリッジ方式であることを特徴としている。
【００１５】
このような構成を有する請求項３に記載の発明は、インク吸着手段としてカートリッジ方式のフィルタを用いているので、簡易にフィルタを交換して確実にインクを吸着除去できるようになっている。
【００１６】
請求項４に記載されている発明は、請求項２又は請求項３に記載の発明において、前記吸引装置と前記インク吸着手段との間に、吸引した空気量を検知するセンサを設けたことを特徴としている。
【００１７】
このような構成を有する請求項４に記載の発明は、吸引装置とインク吸着手段との間にセンサを設けたので、インク吸着手段を通過する空気量を把握することができるようになっている。
【００１８】
請求項５に記載されている発明は、請求項２から請求項４のいずれか一項に記載の発明において、前記吸引機構は、前記インク吸着手段を交換するように警告する警告手段を備え、前記制御部は、前記センサが検知した空気量が一定以下である場合に警告を行うように前記警告手段を制御することを特徴としている。
【００１９】
このような構成を有する請求項５に記載の発明は、インク吸着手段であるフィルタの交換を警告する警告手段を備えているので、センサが検知した空気量が一定以下である場合にはユーザーに対してフィルタを交換するように警告がされるようになっている。
【発明の効果】
【００２０】
請求項１に記載された発明によれば、ラインプリント方式の画像記録装置において吸引機構の開口部から吸引装置によって画像記録面近傍の空気を吸引することによって記録ヘッドから吐出されたインクミストを吸引するとともに、光照射装置によって加熱された空気を吸引除去することができる。これにより、インクミストが画像記録装置各部や記録媒体に付着することを防止して、高精細な画像記録を実現できるとともに、光源等の過熱による画像記録への影響を防止して高画質な画像を記録することが可能となるという効果を奏する。
また、吸引機構を光照射装置と記録ヘッドとの間に配置するので、吸引機構によって光照射装置の近傍及び記録ヘッドの近傍何れの空気も吸引することができるようになっている。これにより、画像記録装置の温度の上昇を防止するとともに、インクミストが画像記録装置各部に付着することを防止して、常に高精細な画像記録を行うことが可能であるという効果を奏する。
また、吸引機構が光照射装置に設けられた排出口に直接接続されているので光照射装置内の空気を効果的に吸引できる。これにより、記録ヘッドから吐出されたインクミストを吸引するとともに、光照射装置によって加熱された空気を効率的に吸引除去することができ、インクミストの画像記録装置への付着を防止するとともに、光照射装置内の温度の上昇を防ぎ、高精細な画像記録を行うことができるという効果を奏する。
【００２１】
請求項２に記載された発明によれば、吸引機構の吸引装置と開口部との間にインク吸着手段を設けるので、吸引された空気内に含まれるインクをインク吸着手段に吸着し確実に除去することができる。このため、インクの再付着を確実に防止できるという効果を奏する。
【００２２】
吸引機構のインク吸着手段が吸引された空気中のインクミスト等により目詰まりを起こした場合には吸引機構の吸引効率が悪くなるが、請求項３に記載された発明によれば、吸着手段としてカートリッジ方式のフィルタを用いているので、簡易にフィルタを交換することができ、吸引機構自体を交換することなく、吸引効率のいい状態を保つことができる。このため、コストをかけずにインクミストや光照射装置によって加熱された空気の吸引除去を行うことができるという効果を奏する。
【００２３】
請求項４に記載された発明によれば、吸引装置とインク吸着手段との間に吸引した空気量を検知するセンサを設けたので、インク吸着手段が吸引された空気中のインクミスト等により目詰まりを起こした場合にはその旨を検知することができる。このため、吸引機構を吸引効率のいい状態を保つことができ、適切にインクミストや光照射装置によって加熱された空気の吸引除去を行うことができるという効果を奏する。
【００２４】
請求項５に記載された発明によれば、インク吸着手段が吸引された空気中のインクミスト等により目詰まりを起こした場合には交換するよう警告する警告手段を備えているので、ユーザーはインク吸着手段の交換時期を知ることができる。このため、吸引機構を吸引効率のいい状態を保つことができ、適切にインクミストや光照射装置によって加熱された空気の吸引除去を行うことができるという効果を奏する。
【図面の簡単な説明】
【００２５】
【図１】本発明に係る画像記録装置の第一の実施形態の要部を模式的に示す正面図である。
【図２】本発明に係る画像記録装置の第一の実施形態の制御構成の概略を示した要部ブロック図である。
【図３】本発明に係る画像記録装置の第二の実施形態の要部を模式的に示す正面図である。
【図４】本発明に係る画像記録装置の第三の実施形態の要部を模式的に示す側面図である。
【発明を実施するための最良の形態】
【００２６】
以下、添付図面を参照しつつ本発明に係る画像記録装置の第一の実施形態について説明する。
【００２７】
図１に示すように、本実施の形態において、画像記録装置１は、シリアルプリント方式の画像記録装置１であり、この画像記録装置１には、平板状に形成され記録媒体Ｐを非記録面から支持するプラテン２が設けられている。
【００２８】
また、画像記録装置１は、例えば、図示しない搬送ローラを備えており、記録媒体搬送機構２９（図２参照）によって搬送ローラを回転駆動させることにより記録媒体Ｐが図１に示す矢印Ａ方向（以下、「主走査方向Ａ」という。）に直交する記録媒体Ｐの搬送方向に搬送されるようになっている。
【００２９】
また、プラテン２の上方には、棒状のキャリッジレール３が搬送方向に直交する主走査方向Ａに延在して配置されている。このキャリッジレール３には、キャリッジ４がキャリッジレール３に沿って往復動自在に支持されており、このキャリッジ４は、キャリッジ駆動機構２８（図２参照）によって主走査方向Ａに沿って往復駆動されるようになっている。なお、キャリッジ４の移動可能範囲のほぼ中央部であってプラテン２の配置されている領域は画像記録を行う記録領域Ｙとされている。
【００３０】
キャリッジ４には、本実施形態における画像記録装置１で使用される各色（ブラック（Ｋ）、シアン（Ｃ）、マゼンタ（Ｍ）、イエロー（Ｙ））に対応した４つの記録ヘッド５，５…が一群として搭載されている。記録ヘッド５，５…の記録媒体Ｐに対向する面には複数のインク吐出口（図示せず）が形成されており、各々インクを吐出するようになっている。なお、画像記録装置１で使用されるインクの色はこれに限定されず、例えば、ライトイエロー（ＬＹ）、ライトマゼンタ（ＬＭ）、ライトシアン（ＬＣ）等の色を使用することもできる。この場合には、各色に対応した記録ヘッドがキャリッジ４に搭載される。
【００３１】
また、キャリッジ４内部であって、記録ヘッド５，５…のうち両端に配置された記録ヘッド５，５とキャリッジ４の両側の側壁との間には、それぞれ記録ヘッド５，５…の長さとほぼ等しい長さ寸法の紫外線照射装置６，６が記録ヘッド５，５…の長手方向にほぼ並行して配設されている。
【００３２】
各紫外線照射装置６，６は、一端面に開口を有する箱型のカバー部材７，７を備えており、カバー部材７，７の開口が記録媒体Ｐの画像記録面に対向するように配置されている。カバー部材７の内側には、内周面が鏡面状に形成されほぼ半円筒形状に形成された反射板９，９が設けられており、反射板９，９の内側には、記録媒体Ｐの上に吐出され着弾したインクを硬化定着させる光として紫外線を照射する管状の紫外線光源８，８がカバー部材７，７の長手方向に沿って設けられている。紫外線光源８，８から照射された紫外線は反射板９，９の内周面で反射して所定の照射位置に集光させるようになっている。この紫外線光源８，８としては、例えば高圧水銀ランプ、低圧水銀ランプ、メタルハライドランプ、半導体レーザー、冷陰極管、エキシマーランプ、又はＬＥＤ（Light Emitting Diode）等を適用することが可能である。
【００３３】
カバー部材７，７の開口にはインクミストや埃等が紫外線照射装置６，６の内部に入ることを防止するための保護部材１０，１０が設けられている。保護部材１０，１０は、例えば、透明な樹脂等で形成されており、紫外線光源８，８から照射された紫外線が記録媒体Ｐ上に到達するのを妨げることのないようになっている。
【００３４】
各紫外線照射装置６，６と記録ヘッド５，５…との間には記録ヘッド５，５…から吐出され飛散したインクミスト及び紫外線照射装置６，６が発熱することによって発生した加熱された空気を吸引するための吸引機構１１，１１が設けられている。吸引機構１１，１１は記録ヘッド５，５…及び紫外線照射装置６，６の記録媒体Ｐに対向する面とほぼ同じ高さ位置で記録媒体Ｐに対して開口する開口部１２を有するダクト１３，１３を備え、ダクト１３，１３の図１における上方にはダクト１３，１３の内部に空気を引き込む吸引装置としての吸引ファン１４，１４が設けられている。記録媒体Ｐの画像記録面付近には記録ヘッド５，５…から吐出され霧状になったインクを含んだ空気及び紫外線照射装置６，６から発生した熱を帯びた空気が滞留しているが、吸引ファン１４，１４が回転することにより、記録媒体Ｐの画像記録面付近のこうした空気をダクト１３，１３内部に引き込み、除去できるようになっている。
【００３５】
ダクト１３の開口部１２の主走査方向Ａの幅寸法Ｗが記録ヘッド５，５…と記録媒体Ｐとの間隙寸法Ｖに対して１倍以下である場合に十分なインクミストの吸引機能及び冷却機能を確保しようとすると強く吸引を行う必要があり、画像を記録するインク主液滴をも吸引の影響を受けて記録媒体Ｐへの着弾位置がずれてしまう。他方、開口部１２の主走査方向Ａの幅寸法Ｗが大きい場合には弱い吸引力でも十分なインクミストの吸引機能及び冷却機能を確保することができるが、装置全体が大型化するという問題がある。そこで、ダクト１３の開口部１２の主走査方向Ａの幅寸法Ｗは、記録ヘッド５，５…と記録媒体Ｐとの間隙寸法Ｖに対して１倍以上、２００倍以下であることが好ましい。
【００３６】
また、ダクト１３，１３の途中であって開口部１２，１２と吸引ファン１４，１４との間には吸引された空気に含まれるインクを吸着させるインク吸着手段としてのフィルタ１５，１５が設けられている。フィルタ１５，１５は交換可能なカートリッジ方式となっている。また、フィルタ１５，１５と吸引ファン１４，１４との間には吸引された空気の量を検知するセンサとして、空気の流量を検知する流量センサ１６，１６が設けられており、吸引ファン１４，１４によって吸引されフィルタ１５，１５を通過した空気の量を検知できるようになっている。吸引された空気に含まれるインクがフィルタ１５，１５に吸着し堆積すると、流量センサ１６，１６によって検知される空気量が減少し、これによってフィルタ１５，１５の交換時期が判断できるようになっている。
【００３７】
キャリッジ４の移動可能範囲であってプラテン２の設けられている記録領域Ｙの外側一端はメンテナンス領域Ｚとなっており、メンテナンス領域Ｚには、記録ヘッド５，５…のインク吐出口のメンテナンスを行うメンテナンス機構１７が設けられている。メンテナンス機構１７には、インク吐出口を覆って密閉した状態でインク吐出口からインクを吸引する吸引キャップ１８，１８…が記録ヘッド５，５…の数に対応して４個設けられている。
【００３８】
吸引キャップ１８，１８…の底面には、吸引キャップ１８，１８…の内部に連通するインク連通管１９，１９…が設けられている。このインク連通管１９，１９…の途中には、吸引装置である吸引ポンプ２０，２０…が設けられており、インク連通管１９，１９…の下端には、吸引したインクを受ける廃インクタンク２１が設けられている。
【００３９】
また、吸引キャップ１８，１８…の一端近傍には、インク吐出口からインクを空吐出させた際に吐出されたインクを受ける空吐出受け皿２２が設けられており、この空吐出受け皿２９に隣接してインク吐出口に残留するインクを拭き取るブレード２３が設けられている。
【００４０】
また、キャリッジ４の移動範囲の他の一端部であってプラテン２を挟んで前記メンテナンス領域Ｚと反対の位置はホームポジション領域Ｘとされており、ホームポジション領域Ｘには、保護ユニット２４が設けられている。保護ユニット２４には記録ヘッド５，５…に対応する数の保護キャップ２５，２５…が備えられており、画像記録動作等を行わないときには記録ヘッド５，５…のインク吐出口を保護キャップ２５，２５…に当接させることによって記録ヘッド５，５…のインク吐出口を保護するようになっている。
【００４１】
本実施形態に用いられるインクは、光としての紫外線が照射されることにより硬化する性質を具備する光硬化型インクであり、主成分として、少なくとも重合性化合物（公知の重合性化合物を含む。）と、光開始剤と、色材とを含むものである。上記光硬化型インクは、重合性化合物としてラジカル重合性化合物を含むラジカル重合系インクとカチオン重合性化合物を含むカチオン重合系インクとに大別されるが、この両系のインクが本実施形態に用いられるインクとしてそれぞれ適用可能である。また、ラジカル重合系インクとカチオン重合系インクとを複合させたハイブリッド型インクを本実施形態に用いられるインクとして適用してもよい。しかしながら、酸素による重合反応の阻害作用が少ない又は無いカチオン重合系インクの方が機能性、汎用性に優れるため、特に、カチオン重合系インクを用いることが好ましい。カチオン重合系インクは、少なくともオキセタン化合物，エポキシ化合物，ビニルエーテル化合物等のカチオン重合性化合物と、光カチオン開始剤と、色材とを含む混合物である。
【００４２】
また、記録媒体Ｐとしては、普通紙、再生紙、光沢紙等の各種紙、各種布地、各種不織布、樹脂、金属、ガラス等の種々の材質からなる記録媒体Ｐが適用可能である。また、記録媒体Ｐの形態としては、ロール状、カットシート状、板状等の各種形態が適用可能である。
【００４３】
次に、図２を参照しつつ、本実施形態における画像記録装置１の制御構成について説明する。
【００４４】
画像記録装置１は、ユーザーが各種の情報を入力する入力部２６を備えており、入力部２６から入力された情報は、制御部２７に送られるようになっている。入力部２６は、例えばキーボードや操作パネルであり、記録媒体Ｐの種類や画像記録条件等を入力するようになっている。
【００４５】
制御部２７は、キャリッジ４を主走査方向Ａに往復移動させるとともに、キャリッジ４の動作に合わせて記録媒体Ｐの搬送と停止とを繰り返し、記録媒体Ｐを間欠的に副走査方向に搬送させるように、キャリッジ駆動機構２８及び記録媒体搬送機構２９の動作を制御するようになっている。
【００４６】
また、制御部２７には、パーソナルコンピュータ等の外部装置（図示せず）から入力された記録画像に関する画像データが送られるようになっており、制御部２７は、送られてきた画像データ及び入力部２６から入力された情報に基づき記録ヘッド５，５…を動作させ、記録媒体Ｐ上にインクを吐出させて所定の画像を記録させるようになっている。
【００４７】
さらに、制御部２７は、紫外線照射装置６,６の紫外線光源８，８から紫外線を発生させるように紫外線照射装置６,６を制御するようになっている。
【００４８】
また、制御部２７は吸引ファン１４，１４のＯＮ／ＯＦＦ及び吸引ファン１４，１４の回転速度を変えることにより、記録ヘッド５，５…の移動方向、記録ヘッド５，５…の移動速度及び記録ヘッド５，５…の位置に応じて吸引機構１１，１１によって吸引される空気量を変更させるようになっている。
【００４９】
すなわち、記録ヘッド５，５…が主走査方向Ａに往復移動しながら画像記録を行う場合に、記録ヘッド５，５…の移動方向の上流側で多くの空気を吸引すると、記録ヘッド５，５…から吐出されたインクが吸引動作によって生じる空気流により影響を受け、正確な位置に着弾することができない。そこで制御部２７は、画像記録を行う場合においては、記録ヘッド５，５…の移動方向の上流側に位置する吸引機構１１，１１については吸引ファン１４，１４を停止させるか又はその回転速度を下げ、吸引する空気量を少なくするように制御している。これに対して、記録ヘッド５，５…の移動方向の下流側においては吸引ファン１４，１４の吸引動作がインクの着弾に与える影響は小さい。そこで記録ヘッドの移動方向の下流側に位置する吸引機構１１，１１については吸引ファン１４，１４の回転速度を上げ、吸引する空気量を多くするように制御するようになっている。
【００５０】
また、記録ヘッド５，５…の移動速度が早い場合には記録ヘッド５，５…の動きによって記録ヘッド５，５…と記録媒体Ｐとの間に空気流が生じ、多くのインクミストが空気中に飛散するため、これを吸引し除去するためには多くの空気を吸引する必要がある。そこで制御部２７は、記録ヘッド５，５…の移動速度が早いほど吸引ファン１４，１４の回転速度を上げて吸引する空気量を多くするように吸引機構１１，１１を制御するようになっている。
【００５１】
さらに、記録ヘッド５，５…が画像記録を行っていないとき、すなわち、記録ヘッド５，５…がホームポジション領域Ｘまたはメンテナンス領域Ｚに位置する場合には記録媒体Ｐの近傍の空気を吸引しても画像記録に影響を与えることがない。そこで、この場合には制御部２７は、空気中に飛散しているインクミストや紫外線照射装置６，６によって加熱された空気を十分に吸引除去すべく吸引ファン１４，１４の回転速度を上げ、吸引する空気量を多くするように吸引機構１１，１１を制御するようになっている。
【００５２】
このように、制御部２７が吸引機構１１，１１を制御して吸引を行うことにより、ダクト１３の開口部１２付近は、記録ヘッド５，５…の記録媒体Ｐに対向する面の近傍及び光照射装置６，６の記録媒体Ｐに対向する面の近傍よりも負圧状態となっている。これにより、吸引機構１１は、記録ヘッド５，５…から吐出され飛散したインクミスト及び紫外線照射装置６，６が過熱することによって熱せられた空気の両方を吸引することができるようになっている。
【００５３】
さらに、制御部２７には、吸引機構１１，１１内に設けられた流量センサ１６，１６からフィルタ１５，１５を通過して吸引された空気量の検知結果が電気信号として送られるようになっており、制御部は流量センサ１６，１６から送られた信号に基づいてフィルタ１５，１５の交換時期を判断するようになっている。また、吸引機構１１，１１は、フィルタ１５，１５の交換時期を警告する警告手段としての表示部３０を備えており、制御部２７は、フィルタ１５，１５の交換が必要と判断した場合には表示部３０にその旨を表示させるようになっている。
【００５４】
また、制御部２７は、記録ヘッド５，５…のメンテナンス動作時には、メンテナンス機構１７を制御して記録ヘッド５，５…のインク吐出口からインクを吸引する。また、制御部２７は、記録ヘッド５，５…を動作させて空吐出受け皿２２に空吐出させるとともに、インク吐出口に残留したインクをブレード２３によって拭き取るようになっている。
【００５５】
次に、本実施形態の作用について説明する。
【００５６】
まず、本実施形態において、画像記録時及びヘッドメンテナンス動作時以外のときには記録ヘッド５，５…を搭載したキャリッジ４はホームポジション領域Ｘに配設された保護ユニット２４の上に待機しており、この保護ユニット２４に設けられた保護キャップ２５，２５…によって記録ヘッド５，５…のインク吐出口が形成されている面が覆われることにより、記録ヘッド５，５…のインク吐出口を保護されている。
【００５７】
入力部２６から記録動作を行うように信号が入力されると、制御部２７は各吸引機構１１，１１の吸引ファン１４，１４を動作させるとともに、キャリッジ駆動機構２８を制御して記録ヘッド５，５…を記録領域Ｙに移動させる。その際、制御部２７が保護ユニット２４を下降させることにより、保護キャップ２５，２５…が記録ヘッド５，５…から外される。
【００５８】
キャリッジ４が、記録領域Ｙの所定の位置に到達すると、制御部２７はキャリッジ駆動機構８を制御することによりキャリッジ４に搭載された記録ヘッド５，５…を主走査方向Ａに往復移動させるとともに、記録媒体搬送機構２９を制御して、順次所定量の記録媒体Ｐを搬送方向に搬送しながら、画像データ及び入力されたデータ等に基づいて記録ヘッド５，５…を動作させ、所定の色のインクを記録媒体Ｐの上に吐出させる。
【００５９】
そして、記録媒体Ｐの上に着弾したインクに対して紫外線照射装置６，６の紫外線光源８，８から紫外線が照射されることによりインクが硬化定着して記録媒体Ｐに画像が記録される。
【００６０】
画像記録を行うために記録ヘッド５，５…を主走査方向Ａに往復移動させる際には、制御部２７は記録ヘッド５，５…よりも記録ヘッド５，５…の移動方向の上流側にある吸引機構１１，１１の吸引ファン１４，１４を停止させるとともに、移動方向の下流側にある吸引機構１１，１１の吸引ファン１４，１４の回転速度を上げて両方の吸引ファン１４，１４から空気を吸引し、紫外線照射装置６，６を冷却するとともに空気中に飛散しているインクミストを吸引除去する。なお、記録ヘッド５，５…の移動方向の上流側にある吸引機構１１，１１の吸引ファン１４，１４を停止させることなく、吸引ファン１４，１４の回転速度を遅くして弱く回転させるようにしてもよい。また、制御部２７は記録ヘッド５，５…の移動速度が遅いときには吸引ファン１４，１４の回転速度を遅くし、記録ヘッド５，５…の移動速度が速いときには吸引ファン１４，１４の回転速度を上げるように吸引ファン１４，１４を制御し、これによって記録ヘッド５，５…の移動によって空気中に浮遊したインクミストを適切に吸引し、除去する。
【００６１】
次に、記録ヘッド５，５…のメンテナンス時には、制御部２７はキャリッジ駆動機構２８を制御して記録ヘッド５，５…をキャリッジレール３に沿ってメンテナンス領域Ｚに移動させる。
【００６２】
記録ヘッド５，５…が所定の位置に到達すると、制御部２７はメンテナンス機構１７を上昇させる。これにより、メンテナンス機構１７に設けられている吸引キャップ１８，１８…で記録ヘッド５，５…のインク吐出口が覆われて密閉される。この状態で吸引ポンプ２０，２０…を動作させることにより吸引キャップ１８，１８…の内部に負圧をかけ、記録ヘッド５，５…内のインクを吸引する。記録ヘッド５，５…から吸引されたインクは、インク連通管１３，１３…を通じて廃インクタンク１５に送られ、蓄えられる。
【００６３】
吸引動作が終了すると、制御部２７は、メンテナンス機構１７を下降させ、これにより、記録ヘッド５，５…から吸引キャップ１８，１８…が離間される。
【００６４】
その後、制御部２７はメンテナンス機構１７を前方および上方へ移動させ、インク吐出口にブレード２３を摺接させながら後方へ移動させる。これにより、インク吐出口に付着しているインクやゴミ等が拭き取られる。
【００６５】
次に、制御部２７は、記録ヘッド５，５…をメンテナンス機構１７に設けられた空吐出受け皿２２の上方に移動させ、記録ヘッド５，５…を動作させてインクを空吐出させる。
【００６６】
これにより記録ヘッド５，５…のメンテナンス動作は終了し、記録ヘッド５，５…は再び画像記録を行うのに良好な状態に整備される。
【００６７】
記録ヘッド５，５…がホームポジションＸ又はメンテナンス領域Ｚに移動した際には、制御部２７は、記録ヘッド５，５…の主走査方向上流側に位置する吸引機構１１，１１及び下流側に位置する吸引機構１１，１１の両方の吸引ファン１４，１４の回転速度を上げて両方の吸引ファン１４，１４から空気を吸引し、紫外線照射装置６，６を冷却するとともに空気中に飛散しているインクミストを吸引除去する。
【００６８】
吸引ファン１４，１４によって吸引されフィルタ１５，１５を通過した空気の量は流量センサ１６，１６によって検知され、検知された結果は電気信号として制御部２７に送られるようになっている。制御部２７は流量センサ１６，１６から送られた信号からフィルタ１５，１５を通過した空気量が一定量を下回ったと判断した場合には、表示部３０にフィルタ１５，１５を交換すべき時期であることを警告する表示を行う。
【００６９】
本実施形態によれば、紫外線照射装置６，６と記録ヘッド５，５…との間に吸引機構１１，１１を設けているので、紫外線照射装置６，６が発熱することによって生じた加熱された空気と、記録ヘッド５，５…から吐出され空気中に飛散したインクミストとをともに吸引機構１１，１１によって吸引除去することができ、画像記録装置１自体や紫外線照射装置６，６が過熱することによって装置全体やインクの温度が上昇したり紫外線光源８，８の温度が過度に上昇することを防止することができる。これにより、インクミストが画像記録装置１の各部や記録媒体Ｐに付着することを防止することができるとともに、画像記録装置１自体や紫外線照射装置６，６の温度が上昇することによる画像記録への影響を防止することができ、高画質な画像記録を実現することができる。
【００７０】
また、吸引機構１１，１１はフィルタ１５，１５を備えているので、吸引ファン１４，１４によって吸引されたインクミストはフィルタ１５，１５によって完全に取り除かれ、一旦吸引したインクミストが再び排出されて再付着することがない。したがって、常に高精細な画像記録を行うことが可能である。
【００７１】
また、繰り返しインクミストを吸着するのに伴ってフィルタ１５，１５が目詰まりを起こした場合等には流量センサ１６，１６によって検知され、フィルタ１５，１５を交換すべき旨が表示部３０に表示されるので、ユーザーがフィルタ１５，１５の交換時期を容易に認識することができ、常に吸引機構１１，１１を吸引効率の高い状態で使用しつづけることができる。
【００７２】
なお、本実施形態においては、吸引機構１１，１１を紫外線照射装置６，６と記録ヘッド５，５…との間にそれぞれ１つずつ設けるものとしたが、吸引機構１１，１１を設ける位置はこれに限られず、紫外線照射装置６，６によって加熱された空気及び記録ヘッド５，５…から吐出され空気中に飛散したインクミストを吸引可能な位置であればよい。また、吸引機構１１，１１を紫外線照射装置６，６の近傍に複数設けるようにしてもよい。
【００７３】
また、本実施形態においては、紫外線照射装置６，６を記録ヘッド５，５…の両側に設けるものとしたが、紫外線照射装置６を記録ヘッド５，５…の一方側のみに設けるものとしてもよい。この場合には吸引機構１１も紫外線照射装置６の近傍に１つ設けられる。
【００７４】
また、紫外線照射装置６，６は、キャリッジ４の上に搭載されている場合に限られず、キャリッジ４の外に設けられていてもよい。この場合には、吸引機構１１，１１はキャリッジ４と紫外線照射装置６，６との間であって記録ヘッド５，５…から吐出され空気中に飛散したインクミストを吸引できる位置に設けられることとなる。
【００７５】
また、本実施形態においては、制御部２７は記録ヘッド５,５…の移動方向と移動速度と位置とに応じて吸引ファン１４，１４を制御するものとしたが、制御部２７がこのうちのいずれかに応じて吸引ファン１４，１４を制御するものとしてもよいし、いずれか２つの組み合わせに応じて吸引ファン１４，１４を制御するものとしてもよい。
【００７６】
また、本実施形態においては、インク吸着手段としてフィルタ１５，１５を設けるものとしたが、インクを吸着除去できる手段であれば他の手段を用いることもできる。また、フィルタ１５を各吸引機構１１，１１に１つずつ設けるものとしたが、フィルタ１５，１５の数はこれに限られず、複数のフィルタを設けるものとしてもよい。
【００７７】
また、本実施形態において、フィルタ１５，１５の交換時期を検知する手段として吸引装置とフィルタ１５，１５との間に流量センサ１６，１６を設けるものとしたが、センサはこれに限られず、フィルタ１５，１５を通過する空気量の変化を検知することのできるものであればよい。
【００７８】
また、吸引ファン１４，１４は直線的に設けられたダクト１３，１３の上方に設けるものとしたが、ダクト１３，１３の形状及び吸引ファン１４，１４を設ける位置はこれに限られず、例えば曲折したダクト１３，１３を用いる場合には吸引ファン１４，１４がフィルタ１５，１５等よりも低い位置にあってもよい。
【００７９】
また、警告手段は表示部３０に限られず、例えば制御部２７は、フィルタ１５，１５の交換が必要と判断した場合には警告音を発するようにしてもよい。また、フィルタ１５，１５の交換時期を警告する表示部は、画像記録に使用する記録媒体Ｐの種類や画像記録動作の進行状況や各種の警告等を表示するために画像記録装置１に設けられているものが兼ねるようにしてもよい。
【００８０】
なお、本実施形態では、紫外線を照射することにより硬化するインクを用いて画像記録を行うものとしたが、インクは必ずしもこれには限定されず、例えば、紫外線、電子線、Ｘ線、可視光線、赤外線等の電磁波といった紫外線以外の光を照射することにより硬化するインクであってもよい。この場合、インクには、紫外線以外の光で重合して硬化する重合性化合物と、紫外線以外の光で重合性化合物同士の重合反応を開始させる光開始剤とが適用される。また、紫外線以外の光で硬化する光硬化型のインクを用いる場合は、紫外線光源に代えて、その光を照射する光源を適用する。
【００８１】
その他、本発明が上記実施の形態に限らず適宜変更可能であるのは勿論である。
【００８２】
次に、図３を参照しつつ、本発明に係る画像記録装置の第二の実施の形態について説明する。なお、第二の実施形態は、紫外線照射装置及び吸引機構について第一の実施形態と構成を異にするが、その他の構成は共通するので、以下においては、特に第一の実施形態と異なる点について説明する。
【００８３】
本実施形態において、キャリッジ４の内部であって、記録ヘッド５，５…のうち両端に配置された記録ヘッド５，５…とキャリッジ４の内側壁との間には、紫外線照射装置３１，３１が配設されている。紫外線照射装置３１，３１は、一端面に開口を有する箱型のカバー部材３２，３２を備えており、カバー部材３２，３２の開口が記録媒体Ｐの画像記録面に対向するように配置されている。カバー部材３２，３２の内側には、内周面が鏡面状に形成されほぼ半円筒形状に形成された反射板３３，３３が設けられており、反射板３３，３３の内側には、管状の紫外線光源３４，３４が設けられており、紫外線光源３４，３４から照射された紫外線は反射板３３，３３の内周面で反射して所定の照射位置に集光させるようになっている。また、カバー部材３２，３２の開口にはインクミストや埃等が紫外線照射装置３１，３１の内部に入ることを防止するための保護部材３５，３５が設けられている。
【００８４】
カバー部材３２，３２の記録ヘッド５，５…に対向する側面には紫外線照射装置３１，３１の中の加熱された空気を外に排出するための排出口３６，３６が設けられている。また、カバー部材３２，３２の他方の側面には外部から紫外線照射装置３１，３１内に空気を取り込むための吸気口３７，３７が設けられている。吸気口３７，３７から取り込まれた空気は、カバー部材３２，３２と反射板３３，３３との間を通って排出口３６，３６へと流れるようになっている。
【００８５】
各紫外線照射装置３１，３１と記録ヘッド５，５…との間には吸引機構３８，３８が設けられている。吸引機構３８，３８は記録ヘッド５，５…及び紫外線照射装置３１，３１の記録媒体Ｐに対向する面とほぼ同じ高さ位置で記録媒体Ｐに対して開口する開口部３９，３９を有するダクト４０，４０を備え、ダクト４０，４０の図３における上方にはダクト４０，４０の内部に空気を引き込む吸引装置としての吸引ファン４１，４１が設けられている。また、ダクト４０，４０の開口部３９，３９には平板状の蓋部材４２，４２が設けられている。蓋部材４２，４２は、例えば、図示しない開閉駆動源によってダクト４０，４０内に設けられたガイドレール（図示せず）に沿ってスライドするようになっており、これによって開口部３９，３９の大きさを調整できるようになっている。
【００８６】
ダクト４０，４０の途中であって開口部３９，３９と吸引ファン４１，４１との間には吸引された空気に含まれるインクを吸着させる吸着手段としてのフィルタ４３，４３が設けられている。フィルタ４３，４３は交換可能なカートリッジ方式となっている。また、フィルタ４３，４３と吸引ファン４１，４１との間には吸引された空気の量を検知するセンサとして、例えば、空気の流量を検知する流量センサ４４，４４が設けられており、この流量センサ４４，４４によって吸引ファン４１，４１により吸引されフィルタ４３，４３を通過した空気の量を検知できるようになっている。吸引された空気に含まれるインクがフィルタ４３，４３に吸着し堆積すると、流量センサ４４，４４によって検知される空気量が減少し、これによってフィルタ４３，４３の交換時期が判断できるようになっている。
【００８７】
ダクト４０，４０の側面一端には、一端が紫外線照射装置３１，３１の排出口３６，３６と接続され紫外線照射装置３１，３１の排出口３６，３６とダクト４０，４０とを連通させる連通管４５，４５が設けられており、吸引機構３８，３８の吸引ファン４１，４１が動作することにより紫外線照射装置３１，３１内の空気が排出口３６，３６から連通管４５，４５を介してダクト４０，４０の中に吸引され、フィルタ４３，４３を通った後に外部に導き出されるようになっている。
【００８８】
画像記録装置は、第一の実施形態と同様の制御部（図示せず）を有している。本実施形態において、制御部は第一の実施形態同様、記録ヘッド５，５…の移動方向、移動速度及び位置に応じて吸引ファン４１，４１のＯＮ／ＯＦＦ及び吸引ファン４１，４１の回転速度を変えることができるようになっている。さらに、開口部３９，３９の開閉駆動源（図示せず）を制御して開口部３９，３９の大きさを調整することによって吸引する空気の量を調整することができるようになっている。
【００８９】
なお、その他の構成は、第一実施形態のものと同様であるので、同一の部材については同一の符号を付してその説明を省略する。
【００９０】
次に、本実施形態の作用について説明する。
【００９１】
画像記録を開始する信号が入力され記録媒体Ｐが記録領域Ｙに到達すると、記録ヘッド５，５…から所要のインクが記録媒体Ｐ上に吐出され、記録媒体Ｐ上に着弾したインクに対して紫外線照射装置３１，３１の紫外線光源３４，３４から紫外線を照射させることにより記録媒体Ｐの上に所定の画像が記録される。この際、移動方向の下流側にある吸引機構３８，３８の吸引ファン４１，４１の回転速度を上げて両方の吸引ファン４１，４１から空気を吸引する。これにより、紫外線照射装置３１，３１の排出口から加熱された空気が連通管４５，４５を通じてダクト４０，４０吸引され、また、吸気口３７，３７から紫外線照射装置３１，３１内に外気が取り込まれてカバー部材３２，３２と反射板３３，３３との間を空気が流通することにより紫外線照射装置３１，３１が冷却される。さらに、空気中に飛散しているインクミストがダクト４０，４０内に吸引され除去される。他方、画像記録動作に影響を与えないようにするため、記録ヘッド５，５…よりも記録ヘッド５，５…の移動方向の上流側にある吸引機構３８，３８の吸引ファン４１，４１は停止させる。なお、記録ヘッド５，５…の移動方向の上流側にある吸引機構３８，３８の吸引ファン４１，４１を停止させることなく、吸引ファン４１，４１の回転速度を遅くして弱く回転させるようにしてもよい。また、吸引ファン４１，４１の回転速度は記録媒体Ｐの搬送速度に応じて調整され、搬送速度が速いほど吸引ファン４１，４１の回転速度が上がり、空気中に浮遊したインクミストや加熱された空気を確実に除去できるようになっている。また、記録ヘッド５，５…がホームポジションＸやメンテナンス領域Ｚに位置する場合には、吸引動作を行うことによる画像記録動作への影響がないため記録領域Ｙに位置する場合に比べて吸引ファン４１，４１の回転速度を上げ、紫外線照射装置３１，３１によって加熱された空気やインクミストの吸引を積極的に行う。さらに、制御部は、開口部３９，３９の開閉機構を制御して吸引する空気の量を調整することにより、吸引ファン４１，４１の回転速度を変えることなく吸引を行う強さを調整することができる。すなわち、蓋部材４２，４２をスライドさせて開口部３９，３９を広くすることにより、吸引する量を増やすことができ、逆に開口部３９，３９を狭くすることによって吸引量を少なくすることができる。
【００９２】
本実施形態においては、紫外線照射装置３１，３１と記録ヘッド５，５…との間に吸引機構３８，３８を設けているので、紫外線照射装置３１，３１が発熱することによって生じた加熱された空気と、記録ヘッド５，５…から吐出され空気中に飛散したインクミストとをともに吸引機構３８，３８によって吸引除去することができ、画像記録装置自体や紫外線照射装置３１，３１が過熱することによって装置全体やインクの温度が上昇したり紫外線照射装置３１，３１の過熱によって紫外線光源８，８の温度が過度に上昇することを防止することができる。これにより、インクミストが画像記録装置の各部や記録媒体Ｐに付着することを防止することができるとともに、画像記録装置自体や紫外線照射装置３１，３１の温度が上昇することによる画像記録への影響を受けることがなく、高画質な画像記録を実現することができる。
【００９３】
また、紫外線照射装置３１，３１に排出口３６，３６と吸気口３７，３７とを設けて、カバー部材３２，３２と反射板３３，３３との間を空気が流通するようにし、さらに排出口３６，３６には吸引機構３８，３８を接続して紫外線照射装置３１，３１内部の空気を吸引できるようにしたので、過熱しやすい紫外線照射装置３１，３１を効率よく冷却することができる。したがって、紫外線照射装置３１，３１や画像記録装置自体の温度の上昇を防止することができ、常に高精細な画像記録を行うことが可能である。
【００９４】
なお、本実施形態においては、紫外線照射装置３１，３１の一側面に排出口３６，３６を設け、他の側面に吸気口３７，３７を設けるものとしたが、排出口３６，３６及び吸気口３７，３７を設ける位置はこれに限られない。また、吸気口３７，３７の数は１つに限定されず、例えば紫外線照射装置３１，３１の長手方向に沿って複数設けてもよい。
【００９５】
また、吸気口３７，３７に連通管を介してダクトを接続し、このダクトに紫外線照射装置３１，３１内に空気を送り込む送風ファンを設けるようにしてもよい。このような構成とすることにより、送風ファンが動作することによって紫外線照射装置３１，３１内にダクトを介して吸気口３７，３７から外部の空気が送り込まれ、この空気によって紫外線照射装置３１，３１内の空気が排出口３６，３６の方に押し出されて空気が紫外線照射装置３１，３１内に循環するようになるため、紫外線照射装置３１，３１内の冷却を効果的に行うことができる。
【００９６】
また、紫外線照射装置３１，３１と吸引機構３８，３８とは、連通管４５，４５を介さずダクト４０，４０によって直接接続されるようにしてもよい。
【００９７】
その他、本発明が本実施の形態に限られないことは、第一の実施形態と同様である。
【００９８】
次に、図４を参照しつつ、本発明に係る画像記録装置の第三の実施の形態について説明する。なお、以下においては、特に第一の実施形態と異なる点について説明する。
【００９９】
図４に示すように、本実施形態において、画像記録装置４６はラインプリント方式の画像記録装置４６であり、図示しない記録媒体搬送機構によって記録媒体Ｐを搬送方向Ｂに搬送しながら画像記録を行うようになっている。
【０１００】
画像記録装置４６には、記録媒体Ｐを非記録面から支持するプラテン４７が記録媒体Ｐの幅方向に延在してほぼ水平に配置されており、プラテン４７の上方には、本実施形態で使用するインクに対応する各色（ブラック（Ｋ）、シアン（Ｃ）、マゼンタ（Ｍ）、イエロー（Ｙ））に対応した記録ヘッド４８，４８…が記録媒体Ｐの幅方向に延在して配設されている。なお、画像記録装置４６で使用されるインクの色はこれに限定されず、例えば、ライトイエロー（ＬＹ）、ライトマゼンタ（ＬＭ）、ライトシアン（ＬＣ）等の色を使用することもできる。各記録ヘッド４８，４８…の記録媒体Ｐに対向する面には、記録媒体Ｐの幅方向に延在して複数のインク吐出口（図示せず）が形成されており、記録ヘッド４８，４８…はこのインク吐出口から所定のインクを記録媒体Ｐの画像記録面上に吐出させるようになっている。
【０１０１】
また、記録ヘッド４８，４８…よりも搬送方向Ｂの下流側には記録ヘッド４８，４８…とほぼ等しい長さ寸法を有する紫外線照射装置４９が記録ヘッド４８，４８…の長手方向に延在して設けられている。紫外線照射装置４９は一端面に開口を有する箱型のカバー部材５７を備えており、カバー部材５７の内側には紫外線光源５０と紫外線光源５０から照射された紫外線を所定の照射位置に集光させる反射板５８が設けられている。紫外線光源５０から照射された紫外線は反射板５８によって所定の照射位置に集光され、記録媒体Ｐ上に着弾したインクに対して照射されるようになっている。また、カバー部材５７の開口にはインクミストや埃等が紫外線照射装置４９の内部に入ることを防止するための保護部材５９が設けられている。
【０１０２】
紫外線照射装置４９と記録ヘッド４８，４８…との間には第一の実施形態と同様に、ダクト５２と吸引ファン５３とを備える吸引機構５１が設けられている。ダクト５２は、紫外線照射装置４９の長手方向に沿って延在し記録媒体Ｐに対して開口する開口部５４を有している。また、ダクト５２の開口部５４と吸引ファン５３との間にはフィルタ５５と流量センサ５６が設けられている。
【０１０３】
画像記録装置４６は、第一の実施形態と同様の制御部（図示せず）を有している。本実施形態において、制御部は記録媒体Ｐの搬送速度に応じて吸引ファン５３のＯＮ／ＯＦＦ及び吸引ファン５３の回転速度を変えることができるようになっている。すなわち、記録媒体Ｐの搬送速度が速い場合にはその分記録媒体Ｐの画像記録面近傍に強い空気流が発生するため、空気中に浮遊したインクミストを吸引するために吸引ファン５３の回転速度を上げるようにし、記録媒体Ｐの搬送が停止したときには吸引ファン５３の回転速度を遅くするか、回転自体を停止するようになっている。
【０１０４】
なお、その他の構成は、第一の実施形態のものと同様であるので、その説明を省略する。
【０１０５】
次に、本実施形態の作用について説明する。
【０１０６】
画像データが送られると、記録媒体Ｐが所定の搬送方向Ｂに搬送される。記録媒体Ｐが記録領域に到達すると、記録ヘッド４８，４８…から所要のインクが記録媒体Ｐ上に吐出され、記録媒体Ｐ上に着弾したインクに対して紫外線照射装置４９の紫外線光源５０から紫外線を照射させることにより記録媒体Ｐの上に所定の画像が記録される。この際、吸引機構５１の吸引ファン５３が回転し、記録ヘッド４８，４８…からインクが吐出される際に発生したインクミスト及び紫外線照射装置４９が発熱することによって加熱された紫外線照射装置４９周辺の空気が吸引ファン５３によって吸引される。なお、吸引ファン５３の回転速度は記録媒体Ｐの搬送速度に応じて調整され、搬送速度が速いほど吸引ファン５３の回転速度が上がり、空気中に浮遊したインクミストや紫外線照射装置４９等によって加熱された空気を確実に除去できるようになっている。
【０１０７】
本実施形態においては、紫外線照射装置４９と記録ヘッド４８，４８…との間に吸引機構５１を設けているので、紫外線照射装置４９が発熱することによって生じた加熱された空気と、記録ヘッド４８，４８…から吐出され空気中に飛散したインクミストとをともに吸引機構５１によって吸引除去することができ、画像記録装置４６自体や紫外線照射装置４９が過熱することによって装置全体やインクの温度が上昇したり紫外線照射装置４９の過熱によって紫外線光源５０の温度が過度に上昇することを防止することができる。これにより、インクミストが画像記録装置４６の各部や記録媒体Ｐに付着することを防止することができるとともに、画像記録装置４６自体や紫外線照射装置４９の温度が上昇することによる画像記録への影響を受けることがなく、高画質な画像記録を実現することができる。
【０１０８】
また、ラインプリント方式の画像記録装置４６を用いて画像記録を行った場合に、記録媒体Ｐの搬送速度に応じて適切に吸引動作を行うことができるため、効率的にインクミストと加熱された空気とを吸引機構５１によって吸引除去することができ、常に高精細な画像記録を行うことが可能となる。
【０１０９】
なお、本実施形態においては、第一の実施形態と同様の吸引機構及び紫外線照射装置を適用することとしたが、第二の実施形態と同様の吸引機構及び紫外線照射装置を適用することも可能である。
【０１１０】
また、紫外線照射装置４９は記録ヘッド４８，４８…よりも記録媒体搬送方向Ｂの下流側に１つ設けるものとしたが、紫外線照射装置４９の数はこれに限定されず、複数の紫外線照射装置４９を設けてもよい。また、各記録ヘッド４８，４８…の下流側にそれぞれ紫外線照射装置４９を設けるものとしてもよい。この場合、各紫外線照射装置４９の近傍にそれぞれ吸引機構を設けてもよい。
【０１１１】
また、本実施形態では、紫外線照射装置４９と記録ヘッド４８，４８…との間に、紫外線照射装置４９の長手方向に沿って延在する開口部５４を有するダクト５２を備えた吸引機構５１を１つ設けるものとしたが、開口部５４の形状はこれに限られない。また、紫外線照射装置４９と記録ヘッド４８，４８…との間に複数の吸引機構を配置してもよい。
【０１１２】
その他、本発明が本実施の形態に限られないことは、第一の実施形態と同様である。
【実施例】
【０１１３】
次に、画像記録装置の一実施例について説明する。なお、本発明はこれらの実施例に限定されるものではない。
【０１１４】
本実施例における画像記録装置は、図１に示した画像記録装置１と同様の構成であり、シリアルプリント方式の記録ヘッド５を備え、記録ヘッド５の主走査方向Ａへの移動速度が０．８ｍ/ｓｅｃであり、インク主液滴量が７ｐｌであり、インク付量が６０ｍｌ/ｍ2である条件の下で画像記録を行うものである。
【０１１５】
記録ヘッド５と記録媒体Ｐとの間隙寸法Ｖと吸引機構１１のダクト１３の開口部１２の主走査方向Ａの幅寸法Ｗとの関係は、表１に示すように調整され、吸引機構１１による吸引がインク主液滴の記録媒体Ｐへの着弾に与える影響が無視できる程度になるようになっている。ここで、吸引機構１１による吸引がインク主液滴の記録媒体Ｐへの着弾に与える影響が無視できる程度とは、吸引機構１１による吸引を行った場合と行わない場合とのインク主液滴の平均着弾位置差が０．５°以内であることをいう。
【０１１６】
表１は、上記のように調整された画像記録装置１を用いて、１．５ｍ幅の記録媒体Ｐに対して１０時間連続して画像記録を行った場合に、紫外線照射装置６の保護部材１０に付着したインクミストによる汚れについて評価を行ったものである。
【０１１７】
【表１】
2010234818.tif 000003
【０１１８】
表１に示すように、例えば、記録ヘッド５と記録媒体Ｐとの間隙寸法Ｖが１．５ｍｍであるのに対して吸引機構１１におけるダクト１３の開口部１２の幅寸法Ｗが１．２ｍｍである場合のように吸引機構１１におけるダクト１３の開口部１２の幅寸法Ｗが記録ヘッド５と記録媒体Ｐとの間隙寸法Ｖの１倍以下である場合には、吸引機構１１によってインクミストを十分に吸引除去することができず、紫外線照射装置６の保護部材１０にインクミストによる汚れが付着する。これに対して、例えば、記録ヘッド５と記録媒体Ｐとの間隙寸法Ｖが１．５ｍｍであるのに対して吸引機構１１におけるダクト１３の開口部１２の幅寸法Ｗが１．７ｍｍである場合のように吸引機構１１におけるダクト１３の開口部１２の幅寸法Ｗが記録ヘッド５と記録媒体Ｐとの間隙寸法Ｖの１倍以上である場合には、吸引機構１１によってインクミストを十分に吸引除去することができ、紫外線照射装置６の保護部材１０にインクミストによる汚れは付着しない。
【０１１９】
このように、吸引機構１１におけるダクト１３の開口部１２の幅寸法Ｗが記録ヘッド５と記録媒体Ｐとの間隙寸法Ｖの１倍以上である場合には、吸引機構１１による吸引によってインク主液滴の記録媒体Ｐへの着弾に影響を与えることなく、吸引機構１１によって十分にインクミストを吸引除去することができる。ただし、吸引機構１１におけるダクト１３の開口部１２の幅寸法Ｗを大きくすると装置が大型化するため、吸引機構１１におけるダクト１３の開口部１２の幅寸法Ｗが記録ヘッド５と記録媒体Ｐとの間隙寸法Ｖの２００倍以下であることが好適である。
【符号の説明】
【０１２０】
１  画像記録装置
５  記録ヘッド
６  紫外線照射装置
１１  吸引機構
１２  開口部
１３  ダクト
１４  吸引ファン
１５  フィルタ
１６  流量センサ
３０  表示部
【図１】
2010234818.tif 000004
【図２】
2010234818.tif 000005
【図３】
2010234818.tif 000006
【図４】
2010234818.tif 000007